(57)【要約】【課題】電気機器の電気コードを前面に露出させずに処理することができる棚装置を提供することにある。【解決手段】壁面２に取付けられるバックパネル３に保持固定される前面パネル１９ａ〜１９ｅと、バックパネルと前面パネルとの幅方向両端面を覆うサイドカバーと、保持溝を有し、保持溝を前面パネルの前面に露出させて前面パネルの幅方向全長にわたって設けられた中間レール部材１４と、前面パネルの前面で中間レール部材の保持溝に係合保持され上面に電気コードが接続される電気機器４３が載置される棚板３２と、電気機器に接続された電気コードを前面パネルの幅方向の端部から背面側に通してサイドカバーの下端部から外部に挿通する切り欠き部２３を具備する。【選択図】図１
2007236775.tif 000002
【特許請求の範囲】
【請求項１】
壁面に設けられる棚装置であって、
上記壁面に取付けられるバックパネルと、
このバックパネルに保持固定される前面パネルと、
上記バックパネルと上記前面パネルとの幅方向両端面を覆うサイドカバーと、
溝部を有し、この溝部を上記前面パネルの前面に露出させてこの前面パネルの幅方向全長にわたって設けられたレール部材と、
上記前面パネルの前面で上記レール部材の溝部に係合保持され上面に電気コードが接続される電気機器が載置される棚部材と、
上記電気機器に接続された電気コードを上記前面パネルの幅方向の端部から背面側に通して上記サイドカバーの下端部から外部に導出する挿通部と
を具備したことを特徴とする棚装置。
【請求項２】
上記棚部材の側方で上記レール部材の溝部に係合保持され上記電気機器に接続される電気コードを内部に挿通して上記前面パネルの幅方向の端部に導くコード収納部材が設けられることを特徴とする請求項１記載の棚装置。
【請求項３】
上記挿通部は、上記前面パネルの幅方向の端部に形成された第１の切り欠き部と、上記サイドパネルの下端部に形成された第２の切り欠き部とからなることを特徴とする請求項１記載の棚装置。
【請求項４】
壁面に設けられる棚装置であって、
上記壁面に水平に取付け固定される受け部材と、
背面に上記受け部材に係合する係合部材を有し、この係合部材を上記受け部材に係合させて上記壁面に保持されるバックパネルと、
上記係合部材に保持固定された上記バックパネルの前面下端部に取付け固定される前面ベースパネルと、
上記バックパネルの前面に上下方向に所定間隔で設けられる複数のレール部材と、
上下一対のレール部材に上下端部を係合させて保持される複数の前面パネルと、
上記レール部材に係合保持されるとともに上面に物品が載置される棚部材と
を具備したことを特徴とする棚装置。
【請求項５】
上記前面ベースパネルは水準器を有し、上記受け部材を上記水準器によって上記壁面に水平に取付けてから、上記前面ベースパネルは上記バックパネルの前面下端部に上記水準器によって水平に取付けられることを特徴とする請求項４記載の棚装置。
【請求項６】
上記バックパネルの下端部には、上記係合部材が上記受け部材に係合した状態で、上記バックパネルの床面に対する支持高さを調整するアジャスタが設けられていることを特徴とする請求項４記載の棚装置。
【発明の詳細な説明】
【技術分野】
【０００１】
この発明は室内などの壁面を利用して設置される棚装置に関する。
【背景技術】
【０００２】
室内などにおいて、物品を整理整頓して配置するためには棚装置が用いられる。棚装置は通常、室内の壁面に近接させて設置される。室内に設置される棚装置としては、たとえば特許文献１に示される構成のものが知られている。この特許文献１に示された棚装置は所定間隔で立設される左右一対の支柱を有する。支柱の前面には係止孔が上下方向に所定間隔で形成されている。
【０００３】
左右一対の支柱の対応する高さの係止孔にはブラケットが係止され、これらブラケットには棚板が支持される。そして、棚板上に物品が載置されるようになっている。
【特許文献１】特開２００２−３１５６６０号公報
【発明の開示】
【発明が解決しようとする課題】
【０００４】
上記棚板上に載置される物品としてはたとえばステレオなどの電気機器がある。棚板上に載置された電気機器には電気コードが接続される。その電気コードは棚板に載置された電気機器と、壁面に設けられたコンセントなどとの間で外部に大きく垂れ下がって露出することになる。そのため、外部に露出した電気コードは室内の美観を著しく低下させるということがあるばかりか、棚装置を清掃するときなどに引っ掛かるなどして邪魔になるということもある。
【０００５】
また、特許文献１に示された棚装置は壁面に近接させて設置することはできても、壁面に固定して設けられるものでない。そのため、地震などの際に転倒しないよう、設置状態を安定させるためには支柱の下端に設けられる脚部材を、たとえば前後方向に長尺化するなどして支柱の安定状態を向上させなければならない。その場合、脚部材が棚装置の前方に大きく突出するから、室内のスペースの専有面積が拡大し、邪魔になるということがある。
【０００６】
この発明は、棚板に電気機器を設置したとき、この電気機器に接続される電気コードを棚装置の前面に大きく垂れ下がったり、露出させることなく処理することが可能となる棚装置を提供することにある。
【０００７】
この発明は、室内の壁面を利用して安定した状態で設置することができるようにした棚装置を提供することにある。
【課題を解決するための手段】
【０００８】
この発明は、壁面に設けられる棚装置であって、
上記壁面に取付けられるバックパネルと、
このバックパネルに保持固定される前面パネルと、
上記バックパネルと上記前面パネルとの幅方向両端面を覆うサイドカバーと、
溝部を有し、この溝部を上記前面パネルの前面に露出させてこの前面パネルの幅方向全長にわたって設けられたレール部材と、
上記前面パネルの前面で上記レール部材の溝部に係合保持され上面に電気コードが接続される電気機器が載置される棚部材と、
上記電気機器に接続された電気コードを上記前面パネルの幅方向の端部から背面側に通して上記サイドカバーの下端部から外部に導出する挿通部と
を具備したことを特徴とする棚装置にある。
【０００９】
上記棚部材の側方で上記レール部材の溝部に係合保持され上記電気機器に接続される電気コードを内部に挿通して上記前面パネルの幅方向の端部に導くコード収納部材が設けられることが好ましい。
【００１０】
上記挿通部は、上記前面パネルの幅方向の端部に形成された第１の切り欠き部と、上記サイドパネルの下端部に形成された第２の切り欠き部とからなることが好ましい。
【００１１】
この発明は、壁面に設けられる棚装置であって、
上記壁面に水平に取付け固定される受け部材と、
背面に上記受け部材に係合する係合部材を有し、この係合部材を上記受け部材に係合させて上記壁面に保持されるバックパネルと、
上記係合部材に保持固定された上記バックパネルの前面下端部に取付け固定される前面ベースパネルと、
上記バックパネルの前面に上下方向に所定間隔で設けられる複数のレール部材と、
上下一対のレール部材に上下端部を係合させて保持される複数の前面パネルと、
上記レール部材に係合保持されるとともに上面に物品が載置される棚部材と
を具備したことを特徴とする棚装置にある。
【００１２】
上記前面ベースパネルは水準器を有し、上記受け部材を上記水準器によって上記壁面に水平に取付けてから、上記前面ベースパネルは上記バックパネルの前面下端部に上記水準器によって水平に取付けられることが好ましい。
【００１３】
上記バックパネルの下端部には、上記係合部材が上記受け部材に係合した状態で、上記バックパネルの床面に対する支持高さを調整するアジャスタが設けられていることが好ましい。
【発明の効果】
【００１４】
この発明によれば、電気機器に接続された電気コードは前面パネルの幅方向の端部に導かれ、そこから前面パネルの背面側に通されてサイドカバーの下端部から外部に挿通される。そのため、電気コードが前面パネルの前面に大きく垂れ下がったり、露出するのを防止できる。
【００１５】
この発明によれば、壁面にバックパネルを保持し、このバックパネルの前面にレール部材を上下方向に所定間隔で設け、上下一対のレール部材によって前面パネルを保持するため、簡単な作業によって壁面に確実に、しかも壁面から前方へ大きく突出することなく安定した状態で設けることが可能となる。
【発明を実施するための最良の形態】
【００１６】
以下、この発明の一実施の形態を図面を参照しながら説明する。  
図１は室内の壁面２に組み付けられた棚装置１を示し、この棚装置１は壁面２に横方向に並設されて保持される一対のバックパネル３を有する。すなわち、図３と図４に示すように上記壁面２には帯板状の取付け板４ａが両面接着テープ５によって接着固定されている。上記取付け板４ａには受け部材４が一体的にねじ止め固定されている。この受け部材４の上端部には上記取付け板４ａの板面との間に溝を形成する第１のテーパ面６が形成されている。
【００１７】
なお、上記取付け板４ａは壁面２に両面接着テープ５によって接着固定するだけでなく、さらにねじ（図示せず）によって壁面２に固定するようにしてもよい。
【００１８】
上記受け部材４が取付け固定された上記取付け板４ａを壁面２に取付け固定する際、図３に示すように水準器７が設けられた前面ベースパネル８によって上記受け部材４の水平出しが行なわれる。それによって、上記受け部材４は壁面２に水平に取り付け固定される。
【００１９】
一対の各バックパネル３の背面の高さ方向の中途部には横方向に沿って係合部材９がそれぞれねじ止め固定される。この係合部材９の下端部にはバックパネル３の内面との間に溝を形成する第２のテーパ面１０が形成されている。それによって、一対のバックパネル３は係合部材９の第２のテーパ面１０を受け部材４の第１のテーパ面６に係合させることで、壁面２に保持される。
【００２０】
なお、壁面２には図３に示すようにバックパネル３の下端部に当接する保持部材１１が設けられている。また、一対のバックパネル３は図示しない連結具によって一体的に連結される。
【００２１】
一対のバックパネル３の下端面の幅方向の両端部には、バックパネル３の支持高さを調整する各一対のアジャスタ１２が設けられている。上記受け部材４に上記係合部材９を係合させた状態で、アジャスタ１２をこれらの下端が床面に当たるよう高さを調整する。それによって、バックパネル３に加わる重量が上記アジャスタ１２を介して床面によって受けられることになる。
【００２２】
つまり、バックパネル３に加わる重量の全てが係合部材９を介して受け部材４に加わることがないよう、上記アジャスタ１２によってバックパネル３の支持高さを調整できるようになっている。
【００２３】
なお、図１と図２ではアジャスタ１２が前面ベースパネル８の下端から大きく露出しているが、バックパネル３に対する前面ベースパネル８の取付け位置を下げれば、上記アジャスタ１２を前面ベースパネル８によって覆い隠し、露出度合いを小さくすることができる。
【００２４】
このようにして、壁面２にバックパネル３を保持したならば、上記前面ベースパネル８をバックパネル３の前面下端部に水平な状態、つまり上端面が水平になるよう位置決めして、上記バックパネル３にねじ止め固定する。このとき、バックパネル３はこのバックパネル３に設けられた水準器７を利用することで、上記バックパネル３に水平に取付け固定することができる。
【００２５】
バックパネル３に前面ベースパネル８を取付けたならば、図６に示すようにバックパネル３の前面に、上記前面ベースパネル８の上端面を基準にして複数枚の前面パネルを保持する。つまり、前面ベースパネル８の前面には上下方向に所定間隔で複数の中間レール部材１４を幅方向に沿って水平のねじ止め固定する。この実施の形態では５本の中間レール部材１４が設けられる。なお、最下端に位置する中間レール部材１４は前面ベースパネル８の上端面に位置している。
【００２６】
上記中間レール部材１４は図５に示すように連結部１５によって一端が一体に連結されたＬ字状の下係止片１６と上係止片１７を有し、上係止片１７がバックパネル３にねじ止め固定される。上記連結部１５には下端が前面に開放した保持溝１８が上方に向かって湾曲して形成されている。
【００２７】
そして、上記バックパネル３の前面には、上記前面ベースパネル８の上端面を基準にして複数枚の前面パネル、この実施の形態では図６に示すように第１乃至第５の前面パネル１９ａ〜１９ｅが上下端部を上下一対の中間レール部材１４の下係止片１６と上係止片１７とに係合させて保持されている。
【００２８】
上記第４の前面パネル１９ｄと第５の前面パネル１９ｅは高さ寸法が他の前面パネル１９ａ〜１９ｃの約２倍に設定されていて、これら第４、第５の前面パネル１９ｄ，１９ｅの高さ方向中途部には図８に示すように保持溝２１が幅方向に沿って形成され、その保持溝２１には打ち込みレール部材２２が圧入保持されている。
【００２９】
さらに、図６に示すように、前面ベースパネル８及び各前面パネル１９ａ〜１９ｅの幅方向両端部の上下端部には後述するように電気コードを前面パネル１９ａ〜１９ｅの前面から背面側に挿通するための挿通部としての第１の切り欠き部２３が形成されている。
【００３０】
上記バックパネル３及び前面ベースパネル８と前面パネル１９ａ〜１９ｅの幅方向の両端部は図６と図７に示すサイドパネル２４が設けられている。このサイドパネル２４はバックパネル３と前面パネル１９ａ〜１９ｅの端面を覆う側板２５と、この側板２５の端面に取付けられて上記前面パネル１９ａ〜１９ｅの幅方向の端部を覆う前板２６とによって形成されている。
【００３１】
上記側板２５の下端部には、図７と図９（ａ）に示すように上記第１の切り欠き部２３によって前面パネル１９ａ〜１９ｅの前面から背面側に挿通された電気コードを外部に挿通する挿通部としての第２の切り欠き部２７が形成されている。
【００３２】
なお、サイドパネル２４は、その側板２５が前面パネル１９ａ〜１９ｅの幅方向の端面に図示しない連結具によって取付固定されるようになっている。
【００３３】
図５に示すように、上記前面パネル１９ａ〜１９ｅをバックパネル３に保持した中間レール部材１４には棚部材３１が保持される。この実施の形態では前面パネル１９ｄと１９ｅとの間に設けられる中間レール部材１４に棚部材３１が保持される。
【００３４】
上記棚部材３１は棚板３２と、この棚板３２の一端部に設けられたブラケット３３からなる。このブラケット３３は背板部３４を有し、この背板部３４の前面下端部にはアーム部３５が前方に向かって延出されている。
【００３５】
上記背板部３４の前面の中途部には係合片３６が突設され、さらに背板部３４の上端には、保持片３７が前面側に向かって突出して設けられているとともに、上方に向かって湾曲した舌片３８が背面側に向かって突出して設けられている。
【００３６】
上記棚板３２には後端面に開放した係止溝４１が設けられている。そして、上記ブラケット３３には、上記棚板３２がその係止溝４１に上記係合片３６を挿入し、後端部の上面を保持片３７に係合させるとともに、後端部の下面をアーム部３５の先端に当接させ手保持される。
【００３７】
上記棚板３２が保持されたブラケット３３は、その舌片３８を上記中間レール部材１４の保持溝１８に挿入して背板部３４の下端を前面パネル１９ｃの前面に当接させることで保持されている。つまり、棚板３２が中間レール部材１４を介して前面パネル１９ｃに保持される。
【００３８】
前面パネル１９ｃに保持された棚板３２には図１と図５に鎖線で示す、たとえば物品としての音響機器などの電気機器４３が載置される。棚板３２に電気機器４３を載置した場合、この電気機器４３に接続された上述した電気コード４４（図７に示す）を外部に導くためのコード収納部材４５が上記中間レール部材１４を介して上記棚板３２の側方に保持される。
【００３９】
上記コード収納部材４５は、図１０（ａ）、（ｂ）に示すように背面に開放する挿通溝４６が長手方向全長にわたって形成されている。さらに、背面には一対の舌片部材４７が所定の間隔でねじ止め固定されている。舌片部材４７は上記中間レール部材１４の保持溝１８に挿入される円弧状の舌片４７ａを有する。
【００４０】
したがって、中間レール部材１４は舌片部材４７の舌片４７ａを中間レール部材１４の保持溝１８に挿入することで、上記棚板３２の側方に保持することができる。
【００４１】
上記電気機器４３に接続された電気コード４４は、図７に示すように上記コード収納部材４５の挿通溝４６を通して前面パネル１９ｄの幅方向の一端部に導かれ、ここから前面パネル１９ｄの上端に形成された第１の切り欠き部２３を通してこの前面パネル１９ｄの背面側に導かれる。
【００４２】
前面パネル１９ｄの背面側に導かれた電気コード４４はサイドパネル２４の下端部に導かれ、そこから側板２５の下端に形成された第２の切り欠き部２７を通されて外部に導出され、たとえばコンセントなどに接続されることになる。
【００４３】
このような構成の棚装置１によれば、前面パネル１９ａ〜１９ｅのうちの１つ、たとえば１９ｃに棚板３２を保持し、この棚板３２に電気機器４３を載置した場合、この電気機器４３に接続された電気コード４４は、同じく前面パネル１９ｄに保持されたコード収納部材４５の挿通溝４６を通されて前面パネル１９ｄの幅方向の一端部に導かれ、その端部に形成された第１の切り欠き部２３から背面側に通される。そして、サイドパネル２４の下端部に形成された第２の切り欠き部２７から外部に導出される。
【００４４】
したがって、棚板３２に電気機器４３を載置した場合、その電気機器４３に接続される電気コード４４を、前面パネル１９ａ〜１９ｅの前面にほとんど露出させずに外部に導くことができるから、電気コード４４が棚装置１の外観を低下させることがないばかりか、清掃の場合などに電気コード４４が邪魔になるようなこともない。
【００４５】
上記棚装置１は壁面２に受け部材４を取着し、この受け部材４に前面ベースパネル８の背面に設けられた係合部材９を係合させることで、上記前面ベースパネル８を壁面２に保持する。ついで、前面ベースパネル８に中間レール部材１４を取り付け、この中間レール部材１４に上下端部を係合させることで、前面パネル１９ａ〜１９ｅを保持するようにしている。そして、前面パネル１９ａ〜１９ｅには、上記中間レール部材１４を介して棚部材３１を保持し、この棚部材３１の棚板３２に電気機器４３を載置することができる。
【００４６】
そのため、棚装置１は室内などの壁面２を利用して強固に設置することができるから、床面に単に設置する棚装置に比べて安定性がよく、地震などの際に転倒する虞もない。
【００４７】
上記前面ベースパネル８の最下端に設けられる前面ベースパネル８に水準器７を設け、上記受け部材４を壁面２に取付け固定する際、前面ベースパネル８の水準器７を利用して受け部材４を壁面２に水平に取り付けるようにした。
【００４８】
このようにして壁面２に受け部材４を水平に取付け、この受け部材４にバックパネル３を保持した後、このバックパネル３の下端に前面ベースパネル８を取り付ける際、水準器７を利用して前面ベースパネル８をバックパネル３に水平に取り付けることができる。
【００４９】
上記バックパネル３の前面に複数の前面パネル１９ａ〜１９ｅを保持する際、上記前面ベースパネル８の上端面を基準にして複数の中間レール部材１４をバックパネル３の前面に上下方向に所定間隔で設けることになる。
【００５０】
そのため、前面ベースパネル８がバックパネル３に対して水平に取付けられれば、この前面ベースパネル８の上端面を基準にして取付けられる複数の中間レール部材１４を水平かつ平行に取り付けることができるから、バックパネル３に対して複数の前面パネル１９ａ〜１９ｅを精度よく取り付けることが可能になる。
【００５１】
バックパネル３の下端にはアジャスタ１２が設けられている。アジャスタ１２によって壁面２の受け部材４に保持されたバックパネル３の床面に対する支持高さを調整することができる。
【００５２】
バックパネル３の支持高さを調整すれば、前面パネル１９ａ〜１９ｅに設けられた棚部材３１などの荷重を、壁面２に設けられた受け部材４と、アジャスタ１２を介して床面とに分散したり、床面だけで受けることもできる。したがって、壁面２の強度などに応じて受け部材４に加わる荷重を調整することが可能となる。つまり、受け部材４と係合部材９との係合が外れない範囲でバックパネル３の支持高さを調整することが可能である。
【００５３】
上記一実施の形態では前面パネルに棚部材を保持する場合について説明したが、棚部材に代わり、他の部材であってもよい。たとえば、１つ或いは複数のフックが設けられたハンガー部材や薄型テレビを取り付けるための取付け部材などであってもよく、要は上部にレール部材の保持溝に係合する舌片を有し、この舌片を保持溝に係合させたときに背面の下端部が前面パネルに当たる部材であれば、保持することが可能である。
【００５４】
前面パネルに部材を保持する際、中間レール部材を使用する例を挙げたが、打ち込みレール部材２２を利用してその部材を保持するようにしてもよい。
【００５５】
電気機器に接続された電気コードをコード収容部材の挿通溝に通して前面パネルの幅方向の端部に導き、そこから前面パネルに形成された第１の切り欠き部と、サイドパネルの側板に形成された第２の切り欠き部を通して外部に導出したが、コード収容部材を用いずに、電気コードを上記第１、第２の切り欠き部を通して外部に導くようにしてもよい。
【００５６】
そのような場合であっても、電気コードを電気機器が設けられた高さから下方へ導いい手コンセントに接続する場合に比べて外部に露出する度合いを少なくすることができる。
【００５７】
また、コード収容部材を使用しない場合、電気機器が載置される棚部材を前面パネルの幅方向の端部に設けるようにすれば、電気コードが前面パネルの前面に大きく垂れ下がったり、露出するのを防止することができる。
【００５８】
さらに、前面パネルの端部とサイドパネルの側板の下端部に形成する電気コードの挿通部は、切り欠き部に限られず、挿通孔であっても差し支えなく、要は電気コードを外部に導出できる構造であればよい。
【図面の簡単な説明】
【００５９】
【図１】この一実施の形態を示し、壁面に棚装置を設置した状態の斜視図。
【図２】壁面にバックパネルを取り付けた状態の斜視図。
【図３】壁面に受け部材を取付けるときの斜視図。
【図４】壁面にバックパネルを取り付けた状態の断面図。
【図５】前面パネルに棚部材を取付けた状態を一部想像線で示す断面図。
【図６】バックパネルに取付けられた前面パネルの幅方向の一端部を示す正面図。
【図７】前面パネルのサイドパネルが設けられた幅方向の一端部を示す平面図。
【図８】（ａ）は高さ方向中途部に打ち込みレール部材が設けられた前面パネルの正面図、（ｂ）は側面図。
【図９】（ａ）はサイドパネルの内面を示す正面図、（ｂ）は平面図。
【図１０】（ａ）はコード収納部材の内面を示す正面図、（ｂ）は側面図。
【符号の説明】
【００６０】
２…壁面、３…バックパネル、４…受け部材、９…係合部材、１２…アジャスタ、１４…中間レール部材、１８…保持溝、２２…打ち込みレール部材、２３…第１の切り欠き部（導出部）、２４…サイドパネル、２７…第２の切り欠き部（導出部）、３１…棚部材、４３…電気機器、４４…電気コード、４５…コード収納部材、４５…挿通溝。
【図１】
2007236775.tif 000003
【図２】
2007236775.tif 000004
【図３】
2007236775.tif 000005
【図４】
2007236775.tif 000006
【図５】
2007236775.tif 000007
【図６】
2007236775.tif 000008
【図７】
2007236775.tif 000009
【図８】
2007236775.tif 000010
【図９】
2007236775.tif 000011
【図１０】
2007236775.tif 000012